(57)【要約】      （修正有）【課題】前掛け眼鏡を眼鏡体に簡易且つ安定的に取り付けることができ、前掛け眼鏡の撥ね上げを安定的に行なうことができ、然も、前掛け眼鏡の下方向への回動角度の規制を簡易且つ正確に達成し得る撥ね上げ式眼鏡を提供する。【解決手段】前掛け眼鏡６を眼鏡体５に、ホルダー部材７を介して、着脱可能且つ撥ね上げ可能に取り付ける。ホルダー部材７は、前掛け眼鏡６の第２の連結部３５に取り付けられ、ホルダー部材７の有する保持溝部に、眼鏡体５の第１の連結部３を嵌め入れる。この嵌め入れた状態は、磁気吸着で安定的に保持され、ホルダー部材７は第１の連結部３と分離可能である。前掛け眼鏡６は撥ね上げ可能であり、該前掛け眼鏡６の下方向への回動角度は角度規制突部９５で規制される。【選択図】図５
2013064787.tif 000002
【特許請求の範囲】
【請求項１】
左右の目に対応する左右の枠部相互を第１の連結部で連結してなる眼鏡体の該第１の連結部に対して前掛け眼鏡を、ホルダー部材を介して、磁気吸着状態で着脱可能に取り付け得る撥ね上げ式眼鏡であって、
該前掛け眼鏡は、前記左右の枠部の前側に配設される左右の補助レンズ部相互を第２の連結部で連結してなり、該第２の連結部は、前記第１の連結部を保持する前記ホルダー部材に、上下方向で回動可能に取り付けられ、該前掛け眼鏡は、該左右の補助レンズ部が前記左右の枠部の前側に存する状態と、該左右の補助レンズ部が撥ね上げられた状態との角度範囲で回動可能となされており、
又、前記ホルダー部材の基部の後面部の上下には上下の挾持片が上下対向状態で後方向に突設され、該上下の挾持片間に、前記第１の連結部を略密接状態に嵌め入れるための保持溝部が設けられており、該上下の挾持片は、該保持溝部に嵌め入れられた該第１の連結部を挾持状態に保持でき、該保持溝部に該第１の連結部が嵌め入れられた状態で、該第１の連結部の所要部位に設けられている第１の磁性部と、該保持溝部の内面部の所要部位に設けられている第２の磁性部との磁気吸着によって、前記前掛け眼鏡が眼鏡体に着脱可能に取り付けられる如くなされており、
又、前記ホルダー部材には角度規制突部が設けられ、該角度規制突部の規制先端部が前記第２の連結部の後面部に当接することにより、前記前掛け眼鏡の下方向への回動角度が所要角度に規制されることを特徴とする撥ね上げ式眼鏡。
【請求項２】
前記角度規制突部は、その先端側の部分が削り代部とされており、該削り代部を適宜削り取ることによって形成した規制先端部が前記第２の連結部の後面部に当接することにより、前記前掛け眼鏡の下方向への回動角度が所要角度に規制されることを特徴とする請求項１記載の撥ね上げ式眼鏡。
【請求項３】
前記角度規制突部は、前記基部に、前方に突出する如く設けられていることを特徴とする請求項１又は２記載の撥ね上げ式眼鏡。
【請求項４】
前記角度規制突部は、前記基部の前面部に、前方に突出する如く設けられていることを特徴とする請求項１又は２記載の撥ね上げ式眼鏡。
【請求項５】
前記第１の連結部の下面の、左右方向の少なくとも中央部分を含む部分に、下端でのみ開放する一つの固定凹部が設けられると共に、該固定凹部に第１の磁石の１個が収容状態で固定されており、該第１の磁石の下面が形成する第１の磁性面は、前記第１の連結部の下面と面一の水平面を呈しており、前記下の挾持片には、上面が水平面を呈した第２の磁性面を形成する第２の磁石が設けられていることを特徴とする請求項１〜４の何れかに記載の撥ね上げ式眼鏡。
【請求項６】
前記第１の連結部の下面側及び／又は上面側には、前記下の挾持片又は前記上の挾持片を、前側又は後側から奥側に向けてスライドにより略密接状態で嵌入させ得るスライド係合溝が設けられていることを特徴とする請求項１〜５の何れかに記載の撥ね上げ式眼鏡。
【請求項７】
請求項２記載の撥ね上げ式眼鏡において、前記削り代部を所要量削り取ることによって前記補助レンズ部の下方向への回動角度を所要角度に規制することを特徴とする撥ね上げ式眼鏡における前掛け眼鏡の回動角度規制方法。
【発明の詳細な説明】
【技術分野】
【０００１】
本発明は、本体となる眼鏡体に対して前掛け眼鏡を磁気吸着状態で着脱可能に取り付けることができると共に、該眼鏡体に取り付けた該前掛け眼鏡を撥ね上げ可能としてなる撥ね上げ式眼鏡に関するものである。又本発明は、撥ね上げ式眼鏡における前掛け眼鏡の回動角度規制方法に関するものである。
【背景技術】
【０００２】
眼鏡使用者の必要に応じ、遮光眼鏡や偏光眼鏡等を掛けた状態を得る目的で、各種タイプの撥ね上げ式眼鏡が実用に供されている。これらの内、前掛け眼鏡を眼鏡に対して着脱可能に取り付けることができると共に、該眼鏡に取り付けた該前掛け眼鏡を撥ね上げ可能としてなる撥ね上げ式眼鏡の一例として、特開２０１１−７５８６２号が開示するものが提案されている。この中には、図２４〜２６に示す撥ね上げ式眼鏡や図２７に示す撥ね上げ式眼鏡が記載されている。
【０００３】
図２４〜２６に示す撥ね上げ式眼鏡ａは、左右の目に対応する左右の枠部（左右のレンズ部ｂ１，ｂ１として構成されている）ｂ，ｂ相互を第１の連結部ｃで連結してなる眼鏡ｄ１としての眼鏡体ｄの該第１の連結部ｃに対して前掛け眼鏡ｅを、ホルダー部材ｆを介して、磁気吸着状態で着脱可能に取り付けることができると共に、該眼鏡ｄ１に取り付けた該前掛け眼鏡ｅを撥ね上げ可能とした構成を有している。該前掛け眼鏡ｅは、前記左右のレンズ部ｂ１，ｂ１をその前側で覆い得る左右の補助レンズ部ｇ，ｇ相互を第２の連結部ｈで連結してなり、例えば、前記補助レンズ部ｇ，ｇが遮光レンズである遮光眼鏡として構成されている。
【０００４】
前記ホルダー部材ｆは、図２４〜２６に示すように、基部ｊの後面部ｋの上下に上下の挾持片ｍ，ｎが上下対向状態で後方向に突設されており、該上下の挾持片ｍ，ｎ間に、前記第１の連結部ｃを略密接状態に嵌め入れるための保持溝部ｐが設けられている。そして前記前掛け眼鏡ｅの前記第２の連結部ｈの左右両側で突設された軸受突部ｑ１，ｑ１間の嵌入凹部ｒ１に、前記ホルダー部材ｆの上端部分に設けられている嵌入突部ｓ１を嵌め入れ、該軸受突部ｑ１，ｑ１と該嵌入突部ｓ１とを枢軸ｔ１で枢着している。これによって、図２６に示すように、前記左右の補助レンズ部ｇ，ｇが前記左右のレンズ部ｂ１，ｂ１をその前側で覆った状態と、該左右の補助レンズ部ｇ，ｇが撥ね上げられた状態との角度範囲で回動可能となるように、前記第２の連結部ｈが前記基部ｊの上部分に取り付けられている。
【０００５】
そして、前記第１の連結部ｃの下面部分に埋設された第１の磁石ｑと、前記下の挾持片ｎの上面に固定された第２の磁石ｒとの磁気吸着によって、前記ホルダー部材ｆが前記第１の連結部ｃに磁気吸着状態で着脱可能となされている。
【０００６】
かかる構成を有する撥ね上げ式眼鏡ａによるときは、前記第１の磁石ｑと前記第２の磁石ｒとの磁気吸着状態を、前記第１の連結部ｃを上下の挾持片ｍ，ｎで挾んで安定的に保持できることから、前記前掛け眼鏡ｅが前記眼鏡体ｄから不用意に脱落する恐れがない。  
【０００７】
そして、前記前掛け眼鏡ｅを図２６に一点鎖線で示すように撥ね上げた状態においては、眼鏡ｄ１のレンズ部ｂ１，ｂ１を通して見ることができる。又、前記前掛け眼鏡ｅを下方向に回動させて前記左右の補助レンズ部ｇ，ｇが前記左右のレンズ部ｂ１，ｂ１をその前側で覆った状態とすることにより、該撥ね上げ式眼鏡ａを遮光眼鏡として使用できる。
【０００８】
又、図２７に示す撥ね上げ式眼鏡ａは、左右の目に対応する左右の枠部（左右方向に長い縁部ｂ２，ｂ２として構成されており、レンズを具えていない）ｂ，ｂ相互を第１の連結部ｃで連結してなる枠体ｄ２としての眼鏡体ｄの該第１の連結部ｃに対して前記前掛け眼鏡ｅを撥ね上げ可能に取り付けた構成を有している。そして該前掛け眼鏡ｅは、遮光眼鏡や偏光眼鏡、或いは近眼鏡や老眼鏡等の視力矯正眼鏡等として構成される。かかる構成の撥ね上げ式眼鏡ａによるときは、前記前掛け眼鏡ｅを、図２７に示すように下方向に回動させて下ろした状態で使用する際は、これを遮光眼鏡や偏光眼鏡、或いは近眼鏡や老眼鏡等の視力矯正眼鏡等として使用できる。一方、該前掛け眼鏡ｅを撥ね上げた状態においては、手元を見る際やトンネルを走行中等において裸眼視できる。
【０００９】
このように前記構成を有する撥ね上げ式眼鏡ａは、所望の前掛け眼鏡ｅを眼鏡体ｄに取り付けることによって、同一の眼鏡体を使用しながらデザイン面や機能面で多様な眼鏡を構成できることになる。そして、眼鏡体ｄに対する前掛け眼鏡ｅの取り付け状態は、上下の突出片ｍ，ｎが前記第１の連結部ｃを上下から挾んだ状態となり且つ磁気吸着による結合作用が加わるため、該前掛け眼鏡ｅを眼鏡体ｄに安定状態で取り付けることができ、取り付けられた該前掛け眼鏡ｅを安定的に撥ね上げることができる利点があった。
【００１０】
ところで、前掛け眼鏡ｅを眼鏡体ｄに磁気吸着によって取り付ける手段の他の例としては、例えば特許文献２が開示するものや特許文献３が開示するものが提案されている。特許文献２が開示する磁気吸着の取付け手段は、図２８に示すように、眼鏡ｄ１のレンズ部ｂ１の外側部に設けられた左右のヨロイｓ，ｓの内側に受け座ｔ，ｔを大きく突出状態に設け、該受け座ｔに埋め込んだ磁石ｕの上面ｖが該受け座ｔの上面ｗと面一を呈する如くなす一方、眼鏡ｄ１に着脱自在に取り付けられる前掛け眼鏡ｅの左右の補助レンズ部ｇ，ｇには、前記左右の受け座ｔ，ｔに載置され且つ前記磁石ｕと互いに吸着し得る磁石ｘを有する取付け部ｙを設けた構成を有していた。かかる磁気吸着の取付け手段によるときは、該取付け部ｙの磁石ｘを前記受け座ｔに載置することにより、図２８（Ｂ）に示すように、両磁石ｕ，ｘが互いに吸着して前掛け眼鏡ｅを眼鏡ｄ１に着脱自在に取り付け可能であった。しかしながら、かかる取付け手段によるときは、若しも前記前掛け眼鏡ｅが撥ね上げ可能に構成されているとした場合は、該前掛け眼鏡ｅを撥ね上げ操作した際に両磁石ｕ，ｘの吸着が解除され易く、該前掛け眼鏡ｅが眼鏡ｄ１から外れてしまう問題があった。
【００１１】
又、特許文献３が開示する磁気吸着の取付け手段は、図２９に示すように、左右のレンズ部ｂ１，ｂ１相互を第１の連結部ｃで連結してなる眼鏡ｄ１の第１の連結部ｃに対して、左右の補助レンズ部ｇ，ｇ相互を第２の連結部ｈで連結してなる前掛け眼鏡ｅを、掛着手段ｚと磁気吸着手段ｃ１を併用して着脱可能としてなるものであった。該掛着手段ｚは、図２９〜３０に示すように、前記第２の連結部ｈの上下に上側突出片ｆ１と下側突出部ｇ１を具えており、該上側突出片ｆ１の先端には、下方に屈曲する上側引っ掛け部ｈ１が設けられている。
【００１２】
そして図３０（Ａ）に示すように、該上側引っ掛け部ｈ１を、眼鏡ｄ１の前記第１の連結部ｃの後部の上側部分に凹設されている係合凹部ｊ１に嵌め入れた状態として後、前記前掛け眼鏡ｅを、図３０（Ａ）に矢印で示すように下方向に回動させて、図３０（Ｂ）に示すように、前記下側突出部ｇ１を前記第１の連結部ｃの下面ｋ１に当接させるものであり、これによって、前記第２の連結部ｈに設けられている磁石ｍ１と前記第１の連結部ｃの磁性部ｎ１とを磁気吸着状態とし、前記前掛け眼鏡ｅを眼鏡ｄ１に磁気吸着状態で着脱可能としていた。かかる取付け手段によるときは、該磁気吸着状態を、前記上側引っ掛け部ｈ１と前記下側突出部ｇ１とで前記第１の連結部ｃを挾んで安定的に保持できることから、前記前掛け眼鏡ｅが前記眼鏡ｄ１から不用意に脱落する恐れがない利点があった。
【００１３】
しかしながら、かかる取付け手段は、前記上側引っ掛け部ｈ１を前記係合凹部ｊ１に係合させた後に前記前掛け眼鏡ｅを下方向に回動させるという面倒な操作を行なわなければならないために操作性が悪い問題があった。前掛け眼鏡ｅの着脱は何回も繰り返されるものであることから、該前掛け眼鏡の取付け手段は、簡易で然も繰り返しに耐えられる構造のものでなければならないところ、特許文献３に記載の取付け手段は、かかる要求に応じられない問題があったのである。又、前掛け眼鏡ｅの着脱が繰り返されるうちに、眼鏡の第１の連結部ｃの表面に施されている塗装やメッキ等が擦られて損傷され、眼鏡の美観を損なう問題があった。
【００１４】
これに対して、特許文献１記載の撥ね上げ式眼鏡ａは、前記したように、取り付けられた前掛け眼鏡ｅを安定的に撥ね上げることができる利点を有していたのであった。しかしながら、かかる構成を有する撥ね上げ式眼鏡ａにあっても次の点において改善の余地があった。即ち、図２４〜２６に係る撥ね上げ式眼鏡ａにおいて前掛け眼鏡ｅを下ろした状態とする際は、図２６に示すように、前記補助レンズ部ｇ，ｇが前記レンズ部ｂ１のリムｐ１に当たることによって該前掛け眼鏡ｅの下方向への回動が停止する。そのため、該前掛け眼鏡ｅの回動操作が繰り返される毎に補助レンズ部ｇ，ｇがリムｐ１に当たることになる結果、該リムに施されているメッキや塗装等を損傷する問題があった。
【００１５】
又、図２７に示す撥ね上げ式眼鏡ａにあっては、その前掛け眼鏡ｅを下ろす際の回動角度を規制する手段がなかったために、撥ね上げ式眼鏡ａを該前掛け眼鏡ｅを下ろした状態で使用する際、これを偏光眼鏡や遮光眼鏡として使用する場合は特に問題がないとしても、近眼鏡や老眼鏡等の視力矯正眼鏡として使用する場合は、前掛け眼鏡ｅの下方向への回動角度を正確に設定できなければ正しい視力矯正が図られないことになる。従来の撥ね上げ式眼鏡にあっては、前掛け眼鏡ｅの下方向への回動角度を正確に決められない問題があった。
【００１６】
更には、前記従来の撥ね上げ式眼鏡ａによる場合は、前掛け眼鏡ｅを撥ね上げる際に該前掛け眼鏡ｅに対する指の当て具合等によっては上下の挾持片ｍ，ｎによる挾持状態が不安定化してアンバランスな撥ね上げ状態となる場合が生じ、その場合は、前掛け眼鏡ｅが眼鏡体ｄに対して位置がずれたり或いは脱落する事態が発生する恐れもあった。
【先行技術文献】
【特許文献】
【００１７】
【特許文献１】特開２０１０−７５８６２号公報
【特許文献２】特開平９−１０１４８９号公報
【特許文献３】実用新案登録第３１０４９３２号公報
【発明の概要】
【発明が解決しようとする課題】
【００１８】
本発明は、前記従来の問題に鑑みて開発されたものであり、前掛け眼鏡を眼鏡体に対して、簡易な磁気吸着手段と簡易な挾持手段によって安定的に取り付けることができて、前掛け眼鏡の撥ね上げ操作や下方向への回動操作を安定状態で行なうことができるのは元より、前掛け眼鏡を下方向に回動して下ろした状態とする際における該前掛け眼鏡の回動角度の規制を簡易且つ正確に行なうことができ、これによって、眼鏡体の損傷を防止できると共に視力矯正眼鏡として正しく機能し得る撥ね上げ式眼鏡の提供を課題とするものである。又、前掛け眼鏡を撥ね上げる際の安定性を一層向上させ得る撥ね上げ式眼鏡の提供を課題とするものである。又本発明は、補助レンズ部の下方向への回動角度を所要に正確に規制できる撥ね上げ式眼鏡における前掛け眼鏡の回動角度規制方法の提供を課題とするものである。
【課題を解決するための手段】
【００１９】
前記課題を解決するため本発明は以下の手段を採用する。
即ち、本発明に係る撥ね上げ式眼鏡は、左右の目に対応する左右の枠部相互を第１の連結部で連結してなる眼鏡体の該第１の連結部に対して前掛け眼鏡を、ホルダー部材を介して、磁気吸着状態で着脱可能に取り付け得る撥ね上げ式眼鏡であって、該前掛け眼鏡は、前記左右の枠部の前側に配設される左右の補助レンズ部相互を第２の連結部で連結してなり、該第２の連結部は、前記第１の連結部を保持する前記ホルダー部材に、上下方向で回動可能に取り付けられ、該前掛け眼鏡は、該左右の補助レンズ部が前記左右の枠部の前側に存する状態と、該左右の補助レンズ部が撥ね上げられた状態との角度範囲で回動可能となされている。又、前記ホルダー部材の基部の後面部の上下には上下の挾持片が上下対向状態で後方向に突設され、該上下の挾持片間に、前記第１の連結部を略密接状態に嵌め入れるための保持溝部が設けられており、該上下の挾持片は、該保持溝部に嵌め入れられた該第１の連結部を挾持状態に保持でき、該保持溝部に該第１の連結部が嵌め入れられた状態で、該第１の連結部の所要部位に設けられている第１の磁性部と、該保持溝部の内面部の所要部位に設けられている第２の磁性部との磁気吸着によって、前記前掛け眼鏡が眼鏡体に着脱可能に取り付けられる如くなされている。又、前記ホルダー部材には角度規制突部が設けられ、該角度規制突部の規制先端部が前記第２の連結部の後面部に当接することにより、前記前掛け眼鏡の下方向への回動角度が所要角度に規制されることを特徴とするものである。
【００２０】
前記撥ね上げ式眼鏡において、前記角度規制突部は、その先端側の部分を削り代部とし、該削り代部を適宜削り取ることによって形成した規制先端部が前記第２の連結部の後面部に当接することにより、前記前掛け眼鏡の下方向への回動角度を所要角度に規制できるように構成するのがよい。
【００２１】
前記角度規制突部は、前記基部に、前方に突出する如く設けるのがよい。より好ましくは、前記基部の前面部に、前方に突出する如く設けるのがよい。
【００２２】
前記の各撥ね上げ式眼鏡において、前記第１の連結部の下面の、左右方向の少なくとも中央部分を含む部分に、下端でのみ開放する一つの固定凹部を設けると共に、該固定凹部に第１の磁石の１個を収容状態で固定し、該第１の磁石の下面が形成する第１の磁性面は、前記第１の連結部の下面と面一の水平面を呈しており、前記下の挾持片には、上面が水平面を呈した第２の磁性面を形成する第２の磁石を設けるのがよい。
【００２３】
前記の各撥ね上げ式眼鏡において、前記第１の連結部の下面側及び／又は上面側に、前記下の挾持片又は前記上の挾持片を、前側から後側に向けてスライドにより密接状態で嵌入させ得るスライド係合溝を設けるのがよい。
【００２４】
本発明に係る撥ね上げ式眼鏡における前掛け眼鏡の回動角度規制方法は、角度規制突部を具える前記撥ね上げ式眼鏡において、前記削り代部を所要量削り取ることによって前記補助レンズ部の下方向への回動角度を所要角度に規制することを特徴とするものである。
【発明の効果】
【００２５】
本発明は以下の如き優れた効果を奏する。
(1) 本発明に係る撥ね上げ式眼鏡は、眼鏡体に対して前掛け眼鏡をホルダー部材を介して取り付けることとし、該ホルダー部材の上下の挾持片によって第１の連結部を挾持できると共に、該ホルダー部材と該第１の連結部とを磁気吸着状態で取り付けるという簡易な構成を採用している。かかることから、同一の眼鏡体を使用して前掛け眼鏡を取り替えることが容易であり、これによって、バラエティに富んだ個性的な眼鏡を経済的に構成できることとなる。
【００２６】
(2) 又、前掛け眼鏡を眼鏡体に取り付けるに際しては、前記ホルダー部材の上下の挾持片によって第１の連結部を上下から挾持できると共に、該上下の挾持片間に設けられた保持溝部に前記第１の連結部を嵌め入れさえすれば、該第１の連結部の所要部位に設けられている第１の磁性部と、該保持溝部の内面部に設けられている第２の磁性部とを磁気吸着状態となし得るため、眼鏡体への前掛け眼鏡の取り付けをワンタッチ操作で簡易に行なうことができる。そしてこれによって、前掛け眼鏡を眼鏡体に安定的に取り付けることができる。前掛け眼鏡を眼鏡体に、単なる磁気吸着手段だけで取り付ける場合は、図２８に示す従来の磁気吸着の取付け手段による取り付け状態と同様に、前掛け眼鏡の撥ね上げが不安定化するのであるが、本発明においては、上下の挾持片で第１の連結部を挾持するため、該挾持作用と該磁気吸着作用の相乗作用によって安定的な取り付け状態を確保できるのである。
このようなことから、前掛け眼鏡を安定的に撥ね上げることができ、又、撥ね上げた前掛け眼鏡を安定的に下ろすことができる。
【００２７】
(3）又本発明においては、前記ホルダー部材に、前記前掛け眼鏡の下方向への回動角度を規制する角度規制突部が設けられているため、該角度規制突部の規制先端部が前記第２の連結部の後面部に当接することによって、下方向に回動する前掛け眼鏡を該前掛け眼鏡が眼鏡体のリム等に当たる手前で止めることができる。これによって、下方向に回動された前掛け眼鏡が、従来のように眼鏡のリムやレンズに当って停止するという現象を防止できる。従って、回動する前掛け眼鏡が眼鏡のリムに施されている塗装やメッキ等を損傷するのを確実に防止でき眼鏡の美観が損なわれるのを防止できることになる。
【００２８】
特に、該角度規制突部の先端側の部分が削り代部とされるときは、該削り代部を適宜削り取るという簡易な手段によって該角度規制突部の突出量を所要に設定できることになり、眼鏡着用者の顔に合わせて、前掛け眼鏡の下方向への回動角度を所望に正確に規制できることとなる。
【００２９】
(4) 特に、前記第１の連結部の下面側及び／又は上面側に、前記下の挾持片又は上の挾持片を、前側又は後側から奥側に向けてスライドにより略密接状態に嵌入させ得るスライド係合溝を設ける構成を採用する場合は、上下の挾持片による挾持によって上下方向の位置が固定されると共に該スライド係合溝への上下の挾持片の嵌入によって左右方向の位置固定も行なわれる。かかることから、前掛け眼鏡を稍無理な状態で撥ね上げたときにも、該前掛け眼鏡が眼鏡体に対して左右方向で位置ずれしたり垂直面内で回転等するのを防止でき、前掛け眼鏡が眼鏡体から脱落してしまう等の事態を防止できることとなる。
【図面の簡単な説明】
【００３０】
【図１】本発明に係る撥ね上げ式眼鏡を、眼鏡体に前掛け眼鏡を取り付けた状態で示す斜視図である。
【図２】撥ね上げ式眼鏡を構成する眼鏡体と前掛け眼鏡とホルダー部材を示す斜視図である。
【図３】ホルダー部材と、付勢回動装置を示す分解斜視図である。
【図４】付勢回動装置を示す断面図である。
【図５】撥ね上げ式眼鏡において、前掛け眼鏡を下ろした状態の側面図である。
【図６】撥ね上げ式眼鏡において、前掛け眼鏡を撥ね上げた状態の側面図である。
【図７】ホルダー部材とその収容凹部に嵌め入れられる第１の連結部とを示す斜視図と、第１の連結部に設けられた固定凹部と該固定凹部に嵌め入れられる第１の磁石とを示す斜視図と、該第１の磁石を該固定凹部に固定した状態を示す断面図である。
【図８】付勢回動装置を構成する軸体の頭部端の中央部分に押圧支持ネジのネジ軸部の先端が当接した状態を示す説明図である。
【図９】その頭部端の中央部分を稍外れた部位に押圧支持ネジのネジ軸部の先端が当接した状態を示す説明図である。
【図１０】第２の連結部に取り付けられたホルダー部材を第１の連結部に取り付ける工程を説明する斜視図である。
【図１１】その工程を示す断面図と、ホルダー部材を第１の連結部に取り付けた状態を示す断面図である。
【図１２】ホルダー部材に第１の連結部を取り付けた状態を示す斜視図である。
【図１３】眼鏡体がレンズを具えない場合において該眼鏡体に前掛け眼鏡を取り付けた状態を示す斜視図である。
【図１４】その眼鏡体と前掛け眼鏡とホルダー部材を示す斜視図である。
【図１５】その撥ね上げ式眼鏡において、前掛け眼鏡を下ろした状態の側面図である。
【図１６】その撥ね上げ式眼鏡において、前掛け眼鏡を撥ね上げた状態の側面図である。
【図１７】第２の連結部に取り付けられたホルダー部材に第１の連結部を取り付けた状態を、第２の連結部の回動作用と共に示す断面図である。
【図１８】第１の磁石と第２の磁石の夫々に保護テープを貼着した場合を示す断面図である。
【図１９】保護テープが貼着された第１の磁石と第２の磁石との磁気吸着状態を、第２の連結部の回動作用と共に示す断面図である。
【図２０】第２の連結部側に角度規制突部を設けた場合を、第２の連結部の回動作用と共に示す断面図である。
【図２１】第１の連結部の上面側にスライド係合溝を設けた場合を示す斜視図である。
【図２２】スライド係合溝のその他の態様を、該スライド係合溝にホルダー部材の下の挾持片をスライドにより嵌入させた状態で示す断面図である。
【図２３】ホルダー部材の他の態様を、その収容凹部に嵌め入れられる第１の連結部と共に示す斜視図である。
【図２４】ホルダー部材を介して前掛け眼鏡を眼鏡体に取り付ける従来の撥ね上げ式眼鏡を示す分解斜視図である。
【図２５】そのホルダー部材を介して前掛け眼鏡を眼鏡体に取り付けた状態を示す部分斜視図である。
【図２６】その撥ね上げ式眼鏡を示す側面図である。
【図２７】従来の撥ね上げ式眼鏡の他の態様を示す斜視図である。
【図２８】前掛け眼鏡を眼鏡体に磁気吸着によって取り付ける従来の取付け手段の一例を示す斜視図である。
【図２９】前掛け眼鏡を眼鏡体に、磁気吸着手段と係合手段とによって取り付ける従来の取付け手段を示す斜視図である。
【図３０】その磁気吸着の取付け手段において、前掛け眼鏡を眼鏡体に取り付ける工程を説明する断面図である。
【発明を実施するための形態】
【実施例１】
【００３１】
図１〜４において本発明に係る撥ね上げ式眼鏡１は、左右の目に対応する左右の枠部２，２相互を第１の連結部３で連結してなる眼鏡体５の該第１の連結部３に対して前掛け眼鏡６を、ホルダー部材７を介して磁気吸着状態で着脱可能に取り付けることができると共に、該眼鏡体５に取り付けた該前掛け眼鏡６を、該ホルダー部材７に設けた付勢回動装置８を介して、図５に示す状態から図６に示す状態に撥ね上げ可能としたものである。
【００３２】
前記眼鏡体５は、本実施例においては図２に示すように、レンズ９をリム１０で抱持して構成された左右のレンズ部１１ａ，１１ａとしての前記左右の枠部１１，１１相互を前記第１の連結部３で連結してなる眼鏡５ａとして構成されている。前記第１の連結部３は例えばチタン合金を以て構成されており、図７（Ａ）に示すように、その水平な下面１２の左右方向の少なくとも中央部分１３に（本実施例においては、該中央部分１３とそれに連なる左右両側部分１５，１５に）、例えば０．５〜０．７ｍｍ程度の深さを有するスライド係合溝１６が前後方向で設けられている。該スライド係合溝１６は、底面視で、左右の溝縁１７，１７が平行する長方形状を呈し、本実施例においては、該スライド係合溝１６の前端１９は前記第１の連結部３の前面２０で開放されており、その後端２１は、該第１の連結部３の後面２２に近接している。
【００３３】
そして図７（Ｂ）に示すように、前記スライド係合溝１６の頂面２３の前後方向の中央部分に位置させて且つ前記スライド係合溝１６の左右方向の略全長さに亘って、下端２４でのみ開放する矩形状の一つの固定凹部２５が設けられると共に、該固定凹部２５に、第１の磁性部２６としての第１の磁石２６ａの１個が嵌め入れられて、接着により固定されている。該第１の磁石２６は例えば図７（Ｂ）に示すような、平面視で左右方向に長い直方体状を呈しており、該第１の磁石２６の下面２７及び上面２９は平坦面に形成されている。
【００３４】
該固定凹部２５の各部の寸法及び第１の磁石２６ａの各部の寸法を例示すれば、該固定凹部２５の短辺長さは約２．０ｍｍ、長辺長さは約６．５ｍｍ、その深さは約１．４ｍｍに設定されると共に、該第１の磁石２６ａの短辺長さは１．８ｍｍ、長辺長さは約６．３ｍｍ、その厚さは約１．４ｍｍに設定されている。
【００３５】
前記第１の磁石２６ａは、図７（Ａ）（Ｂ）（Ｃ）に示すように、その下面２７が水平を呈した状態で前記固定凹部２５に収容され、接着剤で該固定凹部２５に固定されている。該第１の磁石２６ａの下面２７は水平な第１の磁性面３０を形成し、該第１の磁性面３０は、前記頂面２３と略面一状態を呈している。該第１の磁石２６ａの製造誤差や該固定凹部２５の加工誤差によって、該下面２７が０．１ｍｍ〜０．２ｍｍ程度、該頂面２３から突出したり該頂面２３に沈んだりすることはある。このように多少突出したり多少沈んだりした状態も、該第１の磁性面３０が前記頂面２３と面一状態を呈することに該当する。かかることから、該第１の磁石２６ａは前記頂面２３でのみ露出し、前記第１の連結部３の上面３１やその前面２０には露出しないため、該第１の磁石２６ａが眼鏡５ａの見栄えを損なうことがない。
【００３６】
前記前掛け眼鏡６は、遮光眼鏡や偏光眼鏡、視力矯正眼鏡、３Ｄ表示眼鏡等として構成される。本実施例においては遮光眼鏡として構成されており、図１〜３に示すように、前記左右のレンズ部１１ａ，１１ａをその前側から覆い得る左右の補助レンズ部（遮光機能を有するレンズ等）３３，３３相互を第２の連結部３５で連結して構成されている。該第２の連結部３５には、左右方向の両側に軸受突部３６，３７が設けられ、該軸受突部３６，３７間に嵌入凹部３８が形成されている。
【００３７】
前記ホルダー部材７は、本実施例においては図３〜４、図７に示すように、炭素繊維を含有した合成樹脂を以て形成されており、その基部３２の後面部４８の上部に、前記嵌入凹部３８に嵌め入れられる嵌入突部３９が設けられている。そして該ホルダー部材７の基部３２の後面部４８の上下には、平面視で例えば長方形状を呈する上下の挾持片４０，４１が上下対向状態で後方向に突設され、該上下の挾持片４０，４１間に、前記第１の連結部３を略密接状態で嵌め入れるための前記保持溝部４２が形成されている。該上下の挾持片４０，４１の対向する先端縁部４３，４４は、該保持溝部４２への前記第１の連結部３の嵌め入れを容易化するために円弧面として形成されている。
【００３８】
本実施例においては、該下の挾持片４１の上面４５に、該上面４５の前後方向で見た中央部分において、左右方向に連続する状態で、両端が開放した断面矩形の取付け凹部４６が設けられており、第２の磁性部４７としての、直方体状を呈する第２の磁石４７ａを、該取付け凹部４６に収容し且つ接着固定することにより該第２の磁石４７ａが前記下の挾持片４１に接着固定されている。該第２の磁石４７ａの上面４９と前記下の挾持片４１の上面４５は水平な面一状態を呈している。該第２の磁石４７ａの上面４９は、該第２の磁石４７ａの製造誤差や該取付け凹部４６の加工誤差によって、０．１ｍｍ〜０．２ｍｍ程度、前記下の挾持片４１の上面４５から突出したり、該上面４５に沈んだりすることはある。このように多少突出したり多少沈んだりした状態も、該第２の磁石４７ａの上面４９が前記下の挾持片４１の上面４５と面一状態を呈することに該当する。該第２の磁石４７ａの上面４９は、前記第１の磁性面３０と磁気吸着し得る第２の磁性面５０を形成している。
【００３９】
ここで、前記前掛け眼鏡６を前記眼鏡体（本実施例においては眼鏡５ａ）５に対して撥ね上げ可能とするための前記付勢回動装置８の構成とその作用を具体的に説明する。前記第２の連結部３５は、前記したように、左右方向の両側に軸受突部３６，３７が設けられ、該軸受突部３６，３７間に前記嵌入凹部３８が設けられている。又、該両軸受突部３６，３７には、図３〜４に示すように、左右方向の孔心を合致させて、その一方の軸受突部３６に円形の軸挿入孔５１が設けられると共にその他方の軸受突部３７にネジ孔５２が設けられている。ここに、「合致させて」とは、合致した状態乃至略合致した状態を意味する。又、前記嵌入突部３９は、これが前記嵌入凹部３８に嵌め入れられた状態で、前記軸挿入孔５１及び前記ネジ孔５２と孔心を合致させて円形の収容孔５３が貫設された状態となされている。ここに、「合致させて」とは、合致した状態乃至略合致した状態を意味する。該収容孔５３は、前記軸挿入孔５１側に存する小径挿入孔５５に、段差部５６を介して大径挿入孔５７が連設されている。
【００４０】
そして前記収容孔５３には、図３〜４に示すように、軸体５９が収容されており、該軸体５９は、前記軸挿入孔５１と前記小径挿入孔５５とに密接に挿通されて該収容孔５３の軸線に沿って延びる軸部６０の、前記ネジ孔５２側の端部に頭部６１が膨設されている。該軸体５９は、コイルバネ６２を挿通した状態で、前記収容孔５３の大径挿入孔５７の開放端６３側から小径挿入孔５５側に向けて挿入され、前記軸部６０の先側部分６５が、前記軸挿入孔５１と前記小径挿入孔５５に密接に挿通されるのである。
【００４１】
そして図３〜４に示すように、前記軸体５９と軸線を共通にする押圧支持ネジ６６のネジ軸部６７が前記ネジ孔５２に螺合されており、該ネジ軸部６７の先端６９が、前記頭部６１の、前記ネジ孔５２に面する頭部端７０の中央部分７１を前記小径挿入孔５５に向けて押圧することにより、前記コイルバネ６２を前記頭部６１と前記段差部５６との間で所要の圧縮状態とする如く構成されている。ここに、「頭部端７０の中央部分」とは、頭部端７０の中央乃至その近傍部分を意味する。本実施例においては、該頭部端７０の中央部分７１は、該頭部端７０に設けた円形凹部７２の底面７３の中央部分７５として形成されており、該円形凹部７２に前記ネジ軸部６７の先端部分７６が嵌め入れられると共に該ネジ軸部６７の先端６９が前記底面７３の中央部分７５に点線接触乃至それに近い状態となされている。
【００４２】
前記付勢回動装置８は、前記第２の連結部３５の軸受突部３６，３７と、前記ホルダー部材７の嵌入突部３９と、前記軸体５９と、前記コイルバネ６２と、前記押圧支持ネジ６６とを含んで構成されている。
【００４３】
然して、かかる構成を有する撥ね上げ式眼鏡１にあっては、図４に示すように、前記押圧支持ネジ６６の螺合によって前記コイルバネ６２が所要の圧縮状態とされているため、該コイルバネ６２の付勢力によって、前記嵌入突部３９の、前記軸受突部３６側の端面７９（図３〜４）と、該軸受突部３６の、該嵌入突部３９側の端面８０（図３〜４）とが互いに弾性圧接状態とされている。
【００４４】
そして図４に示すように、該コイルバネ６２の両端部８１，８２の夫々が、前記段差部５６及び前記頭部６１に圧接状態にある。又、前記軸受突部３６の軸挿入孔５１に、前記軸体５９の前記嵌入突部３９から突出した突出軸部８３が挿入されると共に、他方の軸受突部３７に設けられている前記ネジ孔５２に螺合されている前記押圧支持ネジ６６のネジ軸部６７の先端部分７６が前記頭部６１の前記円形凹部７２に嵌め入れられ、該ネジ軸部６７の先端６９が該円形凹部７２の底面７３の中央部分７５に点接触乃至それに近い状態とされている。
【００４５】
然して、前記前掛け眼鏡６を撥ね上げる際や、撥ね上げられた前掛け眼鏡６を下ろす際における前掛け眼鏡６の回動動作は、前記軸体５９及び前記押圧支持ネジ６６の軸線回りに無理なく行なわれることになる。又前記押圧支持ネジ６６は、そのネジ軸部６７が前記ネジ孔５２に螺合状態にあり且つこの状態で該ネジ軸部６７が、前記コイルバネ６２の付勢力によりねじ込み方向と逆方向に押圧されるので、ネジ孔５２のネジ面とネジ軸部６７のネジ面とが圧接状態となることに伴うネジ面相互の摩擦力の増大によって押圧支持ネジ６６が緩みにくい。然も、ネジ軸部６７の先端（ネジ軸部６７の軸線方向の先端）６９が前記円形凹部７２の底面７３の中央部分（前記軸体５９の軸線上に存する）７５に点接触乃至それに近い状態となることから、軸体５９の軸線と押圧支持ネジ６６の軸線は一直線上にあり、この一直線上に、前記ネジ軸部６７の先端６９が存することになる。
【００４６】
かかることから、前記ネジ孔５２に螺合されて前記他方の軸受突部３７と一体化状態にある押圧支持ネジ６６は、前記コイルバネ６２を介して前記嵌入突部３９と一体化状態とされやすい前記軸体５９の軸線回りに回転することにはなっても、緩みにくい。従って、前掛け眼鏡６の回動が長期間に亘って安定的に確保されることになる。
【００４７】
本発明は、図８に示すように、前記押圧支持ネジ６６のネジ軸部６７の先端６９を前記頭部端７０の中央部分７１に押圧状態とするだけでも、前記軸体５９と前記押圧支持ネジ６６との軸線Ｌが一直線上にあり且つ該頭部端７０に対する該先端６９の接触部８５の中心部８５ａがこの軸線上に存し乃至その近傍に存することから、前掛け眼鏡６の回動に伴う押圧支持ネジ６６の緩みを防止できる。因みに、例えば図９に示すように、前記頭部端７０に対する前記ネジ軸部６７の先端６９の接触部８５の中心部８５ａが前記軸線Ｌから外れているとすれば、前記回動に伴い押圧支持ネジ６６が緩みやすい。但しこのような態様も、ネジ軸部６７の先端６９が頭部端７０の中央部分（中央乃至その近傍部分）を前記小径挿入孔５５に向けて押圧する構成に該当する。
【００４８】
更に図４に示すように、前記頭部端７０の中央部分に円形凹部７２を設け、該円形凹部７２に前記ネジ軸部６７の先端部分７６を嵌め入れる構成とする場合は、該ネジ軸部６７の先端部分７６が該円形凹部７２に拘束されるため、ネジ軸部６７の先端６９が該円形凹部７２の頭部端７０の中央部分から位置ずれするのを確実に防止できる。又、該ネジ軸部６７の先側部分６７ａの周囲で前記収容孔５３が例えば図４に示すように拡大しているときも、該拡大孔の孔心と該ネジ軸部６７の軸線とが同心状態に保持される。かかることから、前掛け眼鏡６の回動の際に、前記嵌入突部３９の該ネジ軸側の部分３９ａが、前記嵌入凹部３８内でぶれる恐れがない。従って、前掛け眼鏡６の回動による押圧支持ネジ６６の緩みを、より確実に防止できることになる。
【００４９】
特に前記のように、ネジ軸部６７の先端６９を前記円形凹部７２の底面７３の中央部分７１に点接触乃至それに近い状態とするときは、前掛け眼鏡６の回動に伴う押圧支持ネジ６６の緩みを一層効果的に防止できることになる。
【００５０】
かかる付勢回動装置８を具える撥ね上げ式眼鏡１によるときは、前掛け眼鏡６をスムーズに撥ね上げることができると共に、スムーズに下方向に回動させて、前記左右の補助レンズ部３３，３３が前記左右のレンズ部１１ａ，１１ａをその前側で覆った状態となすことができる。そして、その撥ね上げ角度を無段階の任意の角度に設定でき、所要の撥ね上げ状態は、前記コイルバネ６２の付勢力によって前記端面７９（図１、図３〜４）と前記端面８０（図３〜４）とが互いに弾性圧接状態となることに伴う摩擦力により保持される。
【００５１】
かかることから、遮光機能や、偏光機能、視力矯正機能等を有する補助レンズ部３３，３３を以て前記前掛け眼鏡６を構成することにより、使用者の必要に応じた撥ね上げ式眼鏡１を構成できることになる。前掛け眼鏡６を前記下ろされた状態で使用するときは、撥ね上げ式眼鏡１を、遮光眼鏡や偏光眼鏡、或いは、近眼鏡や老眼鏡等の視力矯正眼鏡等として使用することができる一方、該前掛け眼鏡６を撥ね上げた状態においては、眼鏡５ａのレンズ１１ａ，１１ａを通して見ることができる。該前掛け眼鏡６は、撥ね上げられた前掛け眼鏡が視野に殆ど入らない状態となるように、例えば１００〜１２０度程度の大きな角度に撥ね上げることができるが、例えば、顔を下に向けた姿勢で小さな文字を読む等の際においては、多少の撥ね上げ状態とされることもある。このように、使用者の必要に応じて前掛け眼鏡６の撥ね上げ角度を自由に設定できるのである。
【００５２】
かかる付勢回動装置８を用いて構成された前記撥ね上げ式眼鏡１によるときは、図５にＦ１で示すように、一定の付勢力が作用した状態で、前掛け眼鏡６をスムーズに撥ね上げることができる。又、図６にＦ２で示すように、前記左右の補助レンズ部３３，３３が前記左右のレンズ部１１ａ，１１ａの前面３２，３２をその前側で覆った状態となるように該前掛け眼鏡６をスムーズに下方向に回動させることができる。そして、該付勢回動装置８の前記弾性圧接作用により前掛け眼鏡６の撥ね上げ角度を無段階の任意の角度に設定でき、所要の撥ね上げ状態を保持できる。
【００５３】
然して、前記ホルダー部材７を介して前記前掛け眼鏡６を前記眼鏡５ａに取り付けるに際しては、図１０、図１１（Ａ）に矢印Ｆ３で示すように、前記下の挾持片４１の上端側部分９２を前記スライド係合溝１６に、その前側から後側（奥側）に向けてスライドにより略密接状態で嵌入させる。このようにして保持溝部４２に第１の連結部３を嵌入させることにより、図１１（Ｂ) 、図１２に示すように、上下の挾持片４０，４１が第１の連結部３を上下から挾んだ安定挾持状態で該第１の連結部３が該ホルダー部材７に保持されることとなる。そして、保持溝部４２に第１の連結部３を嵌め入れることによって自ずから、該第１の連結部３の下面１２に設けられている前記第１の磁性面３０と、前記ホルダー部材７の前記下の挾持片４１に設けられている前記第２の磁性面５０とが磁気吸着状態となり、第１の連結部３がホルダー部材７に安定状態で着脱可能に取り付けられることになる。加えて、前記のように、スライド係合溝１６に前記下の挾持片４１が略密接状態に嵌入されていることから、該前掛け眼鏡６が左右方向で移動するのが確実に阻止されることになり、眼鏡体５に対する前掛け眼鏡６の取り付け状態の一層の安定性向上が図られている。
【００５４】
従って、眼鏡５ａに取り付けられた前掛け眼鏡６が、これを多少無理に撥ね上げたときにも、前掛け眼鏡６が眼鏡５ａに対して左右方向Ｆ４（図１）で移動したり垂直面内で回転Ｆ５する（図１）等して、前掛け眼鏡６の取り付け状態が変わったり或いは前掛け眼鏡６が外れる等の恐れを確実に防止できる。
【００５５】
なお、スライド係合溝１６が設けられていない場合であっても、前記上下の挾持片４０，４１が前記第１の連結部３を上下から挾んだ挾持状態が得られ且つ、前記第１、第２の磁石２６ａ，４７ａの磁気吸着作用が加わるため、前掛け眼鏡６を眼鏡５ａに安定状態で取り付けることができる。これによって通常の場合は、該前掛け眼鏡６の撥ね上げ操作や、撥ね上げられた前掛け眼鏡６を下方向に回動させて下ろす操作を安定状態で行なうことができる。
【００５６】
前記前掛け眼鏡６の回動は、前記付勢回動装置８を介して行なわれ、該前掛け眼鏡６は、左右の補助レンズ部３３，３３が、前記左右のレンズ部１１ａ，１１ａをその前側から覆った状態（左右の補助レンズ部３３，３３が左右の枠部１１，１１の前側に配設される場合の一態様）と、該左右の補助レンズ部３３，３３が撥ね上げられた状態との角度範囲で回動可能である。
【００５７】
ところで該前掛け眼鏡６の下方向への回動角度は、特に、補助レンズ部３３，３３が視力矯正機能を有する場合は、眼鏡着用者の顔に合せて適切に行なわれなければならない。又、前掛け眼鏡６を下方向に回動させた際に、従来のようなリムの塗装やリムのメッキ等の損傷が防止されなければならない。そのために、図２（Ｂ）に示すように、前記ホルダー部材７の前記基部３２の前面部９３に、その左右方向の中央部で且つその下端側に位置させて、前記補助レンズ部３３の下方向への回動角度を規制する例えば円柱状の角度規制突部９５を突出状態に設けている。該角度規制突部９５は、本実施例においては、その先端側の部分が、前記回動角度を所要に規制するための削り代部９６とされている。
【００５８】
図５、図１１（Ｂ）、図１２に示すように、該削り代部９６を適宜削り取ることによって形成した規制端部９９を前記第２の連結部３５の後面部９７に当接させることにより、前記補助レンズ部３３の下方向への回動角度を規制できる。ここに「適宜削り取る」とは、眼鏡着用者の眼鏡着用状態によっては削り取り量がゼロである場合を含む。
【００５９】
このように補助レンズ部３３の下方向への回動角度が規制された状態で該左右の補助レンズ部３３，３３は図５に示すように、前記眼鏡５ａの左右のレンズ部１１ａ，１１ａを構成するリム１０やレンズ９の縁部分と接触することなく、該縁部分から稍離れて下ろされた状態が保持される。そしてこの状態で、該補助レンズ部３３は、垂直線に対して内方に７〜１０度傾斜した状態で保持される。又、前掛け眼鏡６が下ろされた状態で、前記左右の補助レンズ部３３，３３が、前記眼鏡５ａの左右のレンズ部１１ａ，１１ａを構成するリム１０やレンズ９の縁部分から稍離れた状態となるため、補助レンズ部３３を下方向へ回動させる際に該補助レンズ部３３が眼鏡５ａのリム１０等に当ってそのリムに施されている塗装やメッキ等が損傷されるのを確実に防止でき、従来のように眼鏡の美観が損なわれるのを防止できることになる。
【００６０】
図２は、前記ホルダー部材７の前記保持溝部４２から前記第１の連結部３を取り外すことによって前掛け眼鏡６を眼鏡５ａと分離した状態を示すものであり、これによって、眼鏡５ａを独立して使用できる。
【実施例２】
【００６１】
図１３〜１７は、本発明に係る撥ね上げ式眼鏡１の他の実施例を示すものであり、眼鏡体５が、レンズを具えない枠体５ｂである場合の一例を示している。即ち、該撥ね上げ式眼鏡１は、左右の目に対応する左右の枠部（左右方向に長い縁部１００，１００として構成されており、レンズを具えていない）２，２相互を第１の連結部３で連結してなる枠体５ｂとしての眼鏡体５に対して前掛け眼鏡６をホルダー部材７を介して、磁気吸着状態で着脱可能となされている。そして、該眼鏡体５に取り付けた該前掛け眼鏡６を、該ホルダー部材７に設けた付勢回動装置８を介して、図１５に示す状態から図１６に示す状態に撥ね上げ可能となされている。
【００６２】
該撥ね上げ式眼鏡１は、左右の枠部２，２がレンズを具えない点において前記実施例１に係る撥ね上げ式眼鏡１と相違するだけであり、前記ホルダー部材７の構成や前記付勢回動装置８の構成は実施例１における場合と同様であるため、該ホルダー部材７の構成や該付勢回動装置８の構成について、その具体的な説明は省略する。
【００６３】
前記前掛け眼鏡６は、前記左右の枠部２，２をその前側から覆い得る（左右の枠部２，２の前側に配設される場合の一態様）左右の補助レンズ部３３，３３相互を第２の連結部３５で連結してなる。かかる構成を有する撥ね上げ式眼鏡１によるときは、使用者の必要に応じて選択された所要の前掛け眼鏡６を前記枠体５ｂ（眼鏡体５）に取り付けることができる。
【００６４】
そして、図１３、図１５、図１７に実線で示すように、該前掛け眼鏡６を下ろした状態で使用する際は、これを近眼鏡や老眼鏡等の視力矯正眼鏡として、或いは遮光眼鏡や偏光眼鏡等として使用することができる一方、図１６に示すように該前掛け眼鏡６を撥ね上げた状態においては、手元を見る際やトンネルを走行中等において裸眼視できる。
【００６５】
レンズを具えない枠体５ｂからなる眼鏡体５を以て構成された該撥ね上げ式眼鏡１は、前掛け眼鏡６を下ろした状態とすることによって初めて眼鏡として使用可能となるのであるが、前記したと同様に、該前掛け眼鏡６の下方向への回動角度を、前記削り代部９６を適宜削ることによって前記角度規制突部９５で簡易且つ正確に規制できるため、該前掛け眼鏡６を近眼鏡や老眼鏡等の視力矯正眼鏡等として使用する場合も適正な視力矯正眼鏡を構成できることとなる。
【実施例３】
【００６６】
本発明は、前記実施例で示したものに限定されるものでは決してなく、「特許請求の範囲」の記載内で種々の設計変更が可能であることはいうまでもない。その一例を挙げれば次のようである。
【００６７】
(1) 本発明に係る撥ね上げ式眼鏡１は、前記保持溝部４２に前記第１の連結部３が略密接に嵌め入れられた状態で、該第１の連結部３の所要部位に設けられている第１の磁性部２６と、該保持溝部４２の内面部の所要部位に設けられている第２の磁性部４７との磁気吸着によって、前記前掛け眼鏡６が前記眼鏡体５に着脱可能に取り付けられる如くなされておればよい。しかし、前記眼鏡体５が眼鏡として構成される場合は、撥ね上げ式眼鏡１が前掛け眼鏡６を取り外して眼鏡単独で使用されることがあるため、眼鏡の見栄えを損なうことがないように、例えば前記したように、前記第１の磁石２６ａが前記第１の連結部３の下面１２でのみ露出するものとし、該第１の磁石２６ａが該第１の連結部３の上面３１やその前面２０では露出しないように構成するのが好ましい。
【００６８】
(2) 本発明に係る眼鏡体５が、レンズ部を有さない枠体５ｂとして構成される場合は、該枠体５ｂに前記前掛け眼鏡６が取り付けられてこれが下ろされた状態とされることによって初めて、撥ね上げ式眼鏡１が所要の眼鏡として機能できる。この場合は、該枠体５ｂが単独で使用されることはない。そのため、かかる場合は、前記第１の連結部３に設けられる第１の磁石２６ａは、該第１の連結部３の下面１２で露出するように設けられることの他、その上面３１やその前面２０で露出するように設けられてもよい。該第１の磁石２６ａが撥ね上げ式眼鏡の見栄えを損なう恐れがないからである。
【００６９】
(3) 図１８〜１９は、例えば前記第１の磁石２６ａが前記第１の連結部３の下面に凹設した固定凹部２５に嵌め入れられた状態において、該第１の磁石２６ａの下面１０１の全体を覆うように保護テープ１０２が貼着された場合を示している。
【００７０】
該保護テープ１０２の前後の張出し部分１０３，１０３が折り曲げられて該第１の磁石２６ａの前後の側面１０５，１０５に貼着されており、このようにして保護テープ１０２が貼着された第１の磁石２６ａが、該保護テープ１０２の下面１０６が水平を呈した状態で前記固定凹部２５に収容され、且つ、該第１の磁石２６ａの側面と該固定凹部２５の内面との間に形成された隙間にエポキシ樹脂等の接着剤が充填されている。該下面１０１に貼着された保護テープ１０２の下面が水平な磁性面（第１の磁性面３０）を形成している。
【００７１】
該保護テープ１０２によって磁石を防錆できると共に、前記第１の磁石２６ａの下面１０１に保護テープ１０２が貼着されることによって、該第１の磁石２６ａと前記第２の磁石４７ａとが磁気吸着する際の衝撃が緩和される。
【００７２】
本実施例においては、第１の磁石２６ａに加えて第２の磁石４７ａにも、保護テープ１０７を貼着することとしている。該保護テープ１０７を、該第２の磁石４７ａの上面１０９の全体を覆うように該上面１０９に貼着するのであるが、その際、該保護テープ１０７の前後の張出し部分１１０，１１０を折り曲げて該第２の磁石４７ａの前後の側面１１１，１１１に貼着し、このようにして保護テープ１０７が貼着された磁石を、該保護テープ１０７の上面（被覆部の上面）が水平な第２の磁性面５０を呈した状態として前記取付け凹部４６に接着固定する。図１９は、第１の磁性面３０と第２の磁性部５０とが磁気吸着した状態を示している。
【００７３】
(4) 本発明においては、前記ホルダー部材７に設けた保持溝部４２に第１の連結部３が嵌め入れられた状態で、該第１の連結部３の所要部位に設けられている第１の磁性部２６と、該保持溝部４２に嵌め入れられる第２の連結部３５に設けた第２の磁性部４７との磁気吸着によって、前記前掛け眼鏡６が眼鏡体５に磁気吸着状態で着脱可能に取り付けられる如く構成されている。この一態様としては、前記のように第１の磁性部２６と第２の磁性部４７を共に磁石を以て構成することの他、該第１の磁性部２６及び該第２の磁性部４７の何れか一方のみを磁石とし、他方は鉄等の磁性体とすることもある。
【００７４】
(5) 前記角度規制突部９５は、その先端（規制先端部。前記削り代部９６を適宜削り取ることによって形成した規制先端部も含まれる）が前記第２の連結部３５の後面部９７に当接することにより、前記補助レンズ部３３の下方向への回動角度を規制できる限り、前記した円柱状の他、四角柱状等の各種の突部として構成され得る。又、該角度規制突部９５は、前記基部３２等の縁部分を屈曲して構成されることもある。そして該角度規制突部９５は、前記基部３２に設けられることの他、前記前掛け眼鏡６の下方向への回動角度を所要に規制できる限り、前記ホルダー部材７の所要部位に設けられてよい。
【００７５】
(6) 前記角度規制突部９５は、前記実施例１においては、前記ホルダー部材７を構成する基部３２に設けているが、これとは逆に、図２０に示すように、前記前掛け眼鏡６を構成する前記第２の連結部３５の後部１１２等に設け、その先端側の部分が、該前掛け眼鏡６の下方向への回動角度を所要に規制するための削り代部９６とされたものとして構成してもよい。この場合についてより具体的に説明すれば、前記前掛け眼鏡６の左右の補助レンズ部３３，３３が前記左右の枠部２，２をその前側から覆った状態で見て、前記角度規制突部９５が後方に向けて突設され、該角度規制突部９５の先端側の部分が、必要に応じて削り代部９６とされている。該削り代部９６が設けられる場合は、これを適宜削り取ることによって形成した規制先端部９９が前記基部３２等に当接することにより、前記補助レンズ部３３の下方向への回動角度を所要角度に正確に規制できる。
【００７６】
(7) 図７においては、前記第１の連結部３の下面側に、前記下の挾持片４１を前側から後側に向けてスライドにより略密接状態で嵌入させ得るスライド係合溝１６が設けられているが、該スライド係合溝１６は、図２１に示すように、前記第１の連結部３の上面側に設けることもある。この場合は、該スライド係合溝１６に上の挾持片４０がスライドにより略密接状態で嵌入されることになる。
【００７７】
又、該第１の連結部３の下面側及び上面側の双方にスライド係合溝１６，１６を設け、前記上下の挾持片４０，４１を該上下のスライド係合溝１６，１６に、前側から後側に向けてスライドにより略密接状態で嵌入させ得るように構成してもよい。
【００７８】
該スライド係合溝１６は、図７に示すように、該スライド係合溝１６の後端が閉じた状態で設けられることの他、図２１に示すように、前記第１の連結部３を横切るように設けられることもある。
【００７９】
又、該スライド係合溝１６を前記第１の連結部３の下面側に設ける場合、図７に示すように、該第１の連結部３の左右方向の中央部分１１５は上下幅が等幅に形成されることの他、図２２に示すように、該第１の連結部３がその両側部分１１６，１１６において上下幅が大となるときは、該スライド係合溝１６が左右に分かれて設けられることもある。
【００８０】
又、前記とは逆に、前記下の挾持片４１又は前記上の挾持片４０にスライド係合溝１６を設け、前記第１の連結部３の下面側や上面側に、該スライド係合溝１６に後側から前側（奥側）に向けてスライドにより略密接状態で嵌入させ得る突部を設けることもある。
【００８１】
(8) 又図２３は、前記実施例における場合とは逆に、前記ホルダー部材７の前記上の挾持片４０の基端側の両側に設けられた軸受突部１１７，１１９間に形成された嵌入凹部１２０に、前記第２の連結部３５に設けた嵌入突部１２１を嵌め入れた場合を示しており、その他の構成は前記実施例１における場合と同様である。
【００８２】
(9) 前記眼鏡体５を構成する前記第１の連結部３は金属製の他、樹脂製とされることもあり、又ホルダー部材７は、樹脂製の他、金属製とされることもある。
【００８３】
(10)前記前掛け眼鏡６を撥ね上げ可能とする構成は、前記した付勢回動装置８を介して枢着することの他、前記前掛け眼鏡６を前記左右の補助レンズ部３３，３３が前記左右の枠部１１，１１の前側に存する状態と、該左右の補助レンズ部３３，３３が撥ね上げられた状態との角度範囲で回動でき、撥ね上げ状態を保持できる限り、各種の回動構成を採用できる。
【００８４】
(11)前記眼鏡５ａを構成する左右のレンズ部１１ａ，１１ａや、前掛け眼鏡６を構成する左右の補助レンズ部３３，３３は、例えば図２に示すような、レンズをリムで抱持してなるものの他、リムを有さないものとして、或いは部分的にリムを有するものとして構成されることもある。
【符号の説明】
【００８５】
１  撥ね上げ式眼鏡
２  枠部
３  第１の連結部
５  眼鏡体
６  前掛け眼鏡
７  ホルダー部材
８  付勢回動装置
９  レンズ
１０  リム
１１  枠部
１１ａ  レンズ部
１６  スライド係合溝
２５  固定凹部
２６  第１の磁性部
２６ａ  第１の磁石
３０  第１の磁性面
３３  補助レンズ部
３２  基部
３５  第２の連結部
３６  軸受突部
３７  軸受突部
３８  嵌入凹部
３９  嵌入突部
４０  上の挾持片
４１  下の挾持片
４２  保持溝部
４６  取付け凹部
４７  第２の磁性部
４７ａ  第２の磁石
４８  後面部
５０  第２の磁性面
５１  軸挿入孔
５２  ネジ孔
５９  軸体
６６  押圧支持ネジ
９５  角度規制突部
９６  削り代部
９７  後面部
９９  規制先端部
【図１】
2013064787.tif 000003
【図２】
2013064787.tif 000004
【図３】
2013064787.tif 000005
【図４】
2013064787.tif 000006
【図５】
2013064787.tif 000007
【図６】
2013064787.tif 000008
【図７】
2013064787.tif 000009
【図８】
2013064787.tif 000010
【図９】
2013064787.tif 000011
【図１０】
2013064787.tif 000012
【図１１】
2013064787.tif 000013
【図１２】
2013064787.tif 000014
【図１３】
2013064787.tif 000015
【図１４】
2013064787.tif 000016
【図１５】
2013064787.tif 000017
【図１６】
2013064787.tif 000018
【図１７】
2013064787.tif 000019
【図１８】
2013064787.tif 000020
【図１９】
2013064787.tif 000021
【図２０】
2013064787.tif 000022
【図２１】
2013064787.tif 000023
【図２２】
2013064787.tif 000024
【図２３】
2013064787.tif 000025
【図２４】
2013064787.tif 000026
【図２５】
2013064787.tif 000027
【図２６】
2013064787.tif 000028
【図２７】
2013064787.tif 000029
【図２８】
2013064787.tif 000030
【図２９】
2013064787.tif 000031
【図３０】
2013064787.tif 000032